(57)【要約】【課題】光ディスクに記録されている映像コンテンツの高画質化を図る光ディスク装置及び光ディスクへの記録方法を提供する。【解決手段】光ディスク装置１は、装着された光ディスクがハイブリッドディスク３である場合、ＲＯＭ層に記録されている映像コンテンツを読み取り、高画質化が可能であるか否かを判定する。光ディスク装置１は、映像コンテンツの高画質化が可能であると判定した場合、その映像コンテンツに対して高画質化処理を施し、高画質化した映像コンテンツをハイブリッドディスク３のＲＥ層に記録する。【選択図】図２
2011181136.tif 000002
【特許請求の範囲】
【請求項１】
読み取り専用層及び書き換え可能層を有する光ディスクに対して画像の記録又は読み取りを行う光ディスク装置において、
前記読み取り専用層から読み取られた画像の画質を補正する補正手段と、
該補正手段により画質が補正された画像を前記書き換え可能層に記録する記録手段と
を備えることを特徴とする光ディスク装置。
【請求項２】
前記補正手段は、前記読み取り専用層から読み取られた画像に含まれるノイズを低減し又は該画像の解像度を補正することを特徴とする請求項１記載の光ディスク装置。
【請求項３】
前記補正手段により画質が補正された画像を暗号化する暗号化手段を更に備え、
前記記録手段は、該暗号化手段が暗号化した画像を前記書き換え可能層に記録することを特徴とする請求項１又は２に記載の光ディスク装置。
【請求項４】
読み取り専用層及び書き換え可能層を有する光ディスクに対して画像の記録又は読み取りを行う光ディスク装置において、
前記読み取り専用層から読み取られた原画像が補正された補正画像が前記書き換え可能層に記録されているか否かを判定する判定手段と、
該判定手段が前記書き換え可能層に前記補正画像が記録されていると判定した場合、該書き換え可能層から該補正画像を読み取り、補正画像が記録されていないと判定した場合、前記読み取り専用層から前記原画像を読み取る手段と
を備えることを特徴とする光ディスク装置。
【請求項５】
読み取り専用層並びに第１及び第２書き換え可能層を有する光ディスクに対して画像の記録又は読み取りを行う光ディスク装置において、
前記読み取り専用層から読み取られた第１画像の画質を補正する補正手段と、
該補正手段により画質が補正された第１画像の画質及び前記第１書き換え可能層に記録されている第２画像の画質を比較する比較手段と、
該比較手段が比較した結果、前記画質が補正された第１画像の画質が該第２画像の画質よりも高い場合、該画質が補正された第１画像を前記第２書き換え可能層に記録する手段と
を備えることを特徴とする光ディスク装置。
【請求項６】
外部からの指示を受け付ける受け付け手段と、
該受け付け手段が受け付けた指示にしたがって、前記補正手段により画質が補正された第１画像、又は前記第２画像を再生する手段と
を更に備えることを特徴とする請求項５記載の光ディスク装置。
【請求項７】
画像が記録された読み取り専用層及び書き換え可能層を有する光ディスクへの記録方法において、
前記読み取り専用層から読み取られた画像の画質を補正する補正ステップと、
該補正ステップにて画質が補正された画像を前記書き換え可能層に記録するステップと
を含むことを特徴とする光ディスクへの記録方法。
【発明の詳細な説明】
【技術分野】
【０００１】
本発明は、光ディスクに対して情報の記録及び読み取りを行う光ディスク装置及び光ディスクへの記録方法に関する。
【背景技術】
【０００２】
大容量のデータを記憶することができる高密度の光ディスクとしてブルーレイディスクが実用化されている。ブルーレイディスクには、例えば、ＢＤ−Ｒ（Blu-ray Disc Recordable）、ＢＤ−ＲＥ（Blu-ray Disc Rewritable）、ＢＤ−ＲＯＭ（Blu-ray Disc Read Only Memory）があり、それぞれ物理規格が異なる。ＢＤ−Ｒは１回のみ記録又は追記が可能な光ディスクであり、ＢＤ−ＲＥは何度も書き換え可能な光ディスクであり、ＢＤ−ＲＯＭは読み出し専用の光ディスクである。一方、特許文献１には、２つの書き換え可能層（Ｌ０、Ｌ１）及び１つの読み取り専用層（Ｌ２）を有する光ディスク及びその光ディスクに対して情報の記録及び読み取りを行う光ディスク装置が提案されている。
【０００３】
映画、映像ソフト等の映像コンテンツの記録媒体としてＤＶＤ−ＲＯＭが広く普及しているが、ＤＶＤ−ＲＯＭの再生装置として、ＤＶＤ−ＲＯＭに記録されている映像コンテンツに対して例えば輪郭補正、ノイズ除去等の高画質化処理を施してディスプレイに表示する装置が知られている。
【先行技術文献】
【特許文献】
【０００４】
【特許文献１】特開２００９−１９３６３３号公報
【発明の概要】
【発明が解決しようとする課題】
【０００５】
しかしながら、上述した高画質化機能を搭載していない再生装置では映像コンテンツに対する高画質化処理が施すことができない。よって光ディスクに記録されている映像コンテンツが低画質である場合、ユーザは高画質な映像コンテンツを視聴することができない。また、特許文献１には、光ディスクから読み出した映像コンテンツを高画質化し、その高画質化した映像コンテンツをその光ディスクに記録することについては記載されていない。
【０００６】
本発明は斯かる事情に鑑みてなされたものであり、その目的は、読み取り専用の記録層及び書き換え可能な記録層を有するブルーレイディスクを利用して、映像コンテンツが予め記録されている記録層から読み取った映像コンテンツを高画質化して当該ブルーレイディスクの他の記録層に記録することができる光ディスク装置及びその光ディスクへの記録方法を提供することにある。
【課題を解決するための手段】
【０００７】
本発明に係る光ディスク装置は、読み取り専用層及び書き換え可能層を有する光ディスクに対して画像の記録又は読み取りを行う光ディスク装置において、前記読み取り専用層から読み取られた画像の画質を補正する補正手段と、該補正手段により画質が補正された画像を前記書き換え可能層に記録する記録手段とを備えることを特徴とする。
本発明にあっては、光ディスク装置は、読み取り専用層及び書き換え可能層を有する光ディスクの読み取り専用層に記録された画像を補正する補正手段を備え、補正手段が補正した画像を同一の光ディスクの書き換え可能層に記録する。これにより、補正前の画像及び補正後の画像が共に記録された光ディスクが得られるため、補正機能として高画質化機能を備えていない光ディスク装置を用いて当該光ディスクを再生した場合であっても、高画質な画像を再生することができる。
【０００８】
本発明に係る光ディスク装置は、前記補正手段が、前記読み取り専用層から読み取られた画像に含まれるノイズを低減し又は該画像の解像度を補正することを特徴とする。
本発明にあっては、読み取り専用層から読み取られた画像の画質を上げることができる。
【０００９】
本発明に係る光ディスク装置は、前記補正手段により画質が補正された画像を暗号化する暗号化手段を更に備え、前記記録手段は、該暗号化手段が暗号化した画像を前記書き換え可能層に記録することを特徴とする。
本発明にあっては、光ディスク装置は、光ディスクの読み取り専用層から読み取った画像を読み取り層が有する暗号化キーで暗号化して書き換え可能層に記録する手段を更に備える。したがって、書き換え可能層に対して、読み取り専用層に記録された映像コンテンツとは無関係な映像コンテンツを記録した場合、書き換え可能層から映像コンテンツを再生できず、不正なコピーを防止できる。
【００１０】
本発明に係る光ディスク装置は、読み取り専用層及び書き換え可能層を有する光ディスクに対して画像の記録又は読み取りを行う光ディスク装置において、前記読み取り専用層から読み取られた原画像が補正された補正画像が前記書き換え可能層に記録されているか否かを判定する判定手段と、該判定手段が前記書き換え可能層に前記補正画像が記録されていると判定した場合、該書き換え可能層から該補正画像を読み取り、補正画像が記録されていないと判定した場合、前記読み取り専用層から前記原画像を読み取る手段とを備えることを特徴とする。
本発明にあっては、書き換え可能層に高画質の画像が記録されている場合には、書き換え可能層から読み取った画像を再生し、書き換え可能層に高画質の画像が記録されていない場合には、読み取り専用層から読み取った原画像を再生する。
【００１１】
本発明に係る光ディスク装置は、読み取り専用層並びに第１及び第２書き換え可能層を有する光ディスクに対して画像の記録又は読み取りを行う光ディスク装置において、前記読み取り専用層から読み取られた第１画像の画質を補正する補正手段と、該補正手段により画質が補正された第１画像の画質及び前記第１書き換え可能層に記録されている第２画像の画質を比較する比較手段と、該比較手段が比較した結果、前記画質が補正された第１画像の画質が該第２画像の画質よりも高い場合、該画質が補正された第１画像を前記第２書き換え可能層に記録する手段とを備えることを特徴とする。
本発明にあっては、書き換え可能層を２層有する光ディスクに対して、補正画像および当該補正画像よりもさらに補正された高画質な画像を各層に記録した光ディスクを得ることができる。
【００１２】
本発明に係る光ディスク装置は、外部からの指示を受け付ける受け付け手段と、該受け付け手段が受け付けた指示にしたがって、前記補正手段により画質が補正された第１画像、又は前記第２画像を再生する手段とを更に備えることを特徴とする。
本発明にあっては、外部からの指示にしたがい、再生する画像を決定できる。
【００１３】
本発明に係る光ディスクへの記録方法は、画像が記録された読み取り専用層及び書き換え可能層を有する光ディスクへの記録方法において、前記読み取り専用層から読み取られた画像の画質を補正する補正ステップと、該補正ステップにて画質が補正された画像を前記書き換え可能層に記録するステップとを含むことを特徴とする。
本発明にあっては、読み取り専用層に記録されている画像の画質を補正すると判定した場合には、当該画像の画質を補正して、書き換え可能層に記録する。これにより、補正前の画像及び補正後の画像が共に記録された光ディスクが得られるため、補正機能として高画質化機能を備えていない光ディスク装置を用いて当該光ディスクを再生した場合であっても、高画質な画像を再生することができる。
【発明の効果】
【００１４】
本発明は、読み取り専用層と書き換え可能層を有するブルーレイディスク（以下、「ハイブリッドディスク」という。）を利用して、当該ハイブリッドディスクの読み取り専用層に記録されている映像コンテンツを読み取り、読み取った映像コンテンツを補正し、補正された映像コンテンツを当該ハイブリッドディスクの書き換え可能層に記録する。
本発明によれば、補正前のオリジナルの映像コンテンツ及び補正後の映像コンテンツを記録した１枚のハイブリッドディスクが得られ、このハイブリッドディスクを用いれば、補正機能としての高画質機能を搭載していない再生装置であっても高画質化された映像コンテンツを視聴することができる。
【図面の簡単な説明】
【００１５】
【図１】実施の形態１に係る光ディスク装置の外観を示す説明図である。
【図２】実施の形態１に係る光ディスク装置の構成例を示すブロック図である。
【図３】光ピックアップ部の構成例を示すブロック図である。
【図４】実施の形態１で用いられるハイブリッドディスクを模式的に示す断面図である。
【図５】実施の形態１に係る光ディスク装置によるハイブリッドディスクに対する記録処理の流れを示すフローチャートである。
【図６】高画質化機能を有しない光ディスク装置の構成例を示すブロック図である。
【図７】光ディスク装置による再生処理の流れを示すフローチャートである。
【図８】選択画面の例を示す説明図である。
【図９】実施の形態２に係る光ディスク装置によるハイブリッドディスクに対する記録処理及び再生処理の流れを示すフローチャートである。
【図１０】選択画面の例を示す説明図である。
【発明を実施するための形態】
【００１６】
実施の形態１
以下、図面を参照して実施の形態１を具体的に説明する。
図１は、実施の形態１に係る光ディスク装置１の外観を示す説明図である。
図１に示す例では、光ディスク装置１が映像表示装置８に接続されている。光ディスク装置１は、ハイブリッドディスク３に対して映像コンテンツを記録及び再生できる装置である。ここで、映像コンテンツとは、画像のみからなるコンテンツ、又は画像及び音声からなるコンテンツのことである。光ディスク装置１に接続されている映像表示装置８は、光ディスク装置１から画像信号及び音声信号を受け取り、ディスプレイに画像を表示し、スピーカから音声を出力する。尚、光ディスク装置１は、パーソナルコンピュータ、ゲーム機器等に接続された装置又はそれらに内蔵された装置であってもよい。
【００１７】
ユーザ操作部７は、光ディスク装置１を操作するための操作部であり、例えば、光ディスク装置１の前面に設けられた操作部又は遠隔操作のためのリモートコントローラである。ユーザ操作部７には使用者によって押圧される各種の操作ボタンが設けられている。ユーザ操作部７は、使用者により押圧された操作ボタンに対応する操作信号を光ディスク装置１に出力する。ユーザは、ユーザ操作部７を使用して、例えば、光ディスク装置１に対して映像コンテンツの再生、停止等の所望の動作を指示する。
【００１８】
図２は、実施の形態１に係る光ディスク装置１の構成例を示すブロック図である。
図２に示すように、光ディスク装置１は、システム制御部１１、映像コンテンツ高画質化部１２、映像コンテンツ表示部１３、記憶部１４及び光ディスクドライブ装置１５を備える。また、光ディスク装置１は、ディスプレイ８０及びスピーカ８１を含む映像表示装置８、及びユーザ操作部７との間で信号の送受信を行う。
まず、光ディスクドライブ装置１５の構成例について説明する。
【００１９】
光ディスクドライブ装置１５は、ドライブ制御部１５０、信号記録／信号読み取り部１５１、ディスク判別部１５２、光ピックアップ部１５３及びインタフェース部１５４を備える。信号記録／信号読み取り部１５１は、信号記録部６０及び信号読み取り部６１から構成される。ハイブリッドディスク３は、光ディスクドライブ装置１５に装着される。
【００２０】
ドライブ制御部１５０は、インタフェース部１５４を介してシステム制御部１１から受け付けたコマンドに基づいて、光ディスクドライブ装置１５内の各部を制御することにより、ハイブリッドディスク３に対するデータの記録処理及び読み取り処理を制御する。すなわち、ドライブ制御部１５０は、図示しないＲＡＭ（Random Access Memory）を作業領域として用い、図示しないＲＯＭ（Read Only Memory）に記録されている各種情報に従って、光ディスクドライブ装置１５内の各部の動作を直接的に制御する。また、ドライブ制御部１５０は、光ディスクドライブ装置１５内の各部の作動状態及びハイブリッドディスク３に関する情報を示す制御信号を、インタフェース部１５４を介してシステム制御部１１へ出力する。
【００２１】
信号記録／信号読み取り部１５１内の信号記録部６０は、ドライブ制御部１５０から記録対象のデータおよび記録位置の情報を受け取り、ハイブリッドディスク３の書き換え可能層の記録位置にデータが記録されるように光ピックアップ部１５３を制御する。
信号記録／信号読み取り部１５１内の信号読み取り部６１は、ドライブ制御部１５０から読み取り位置の情報を受け取り、その読み取り位置からデータを読み取るように光ピックアップ部１５３を制御する。そして、信号読み取り部６１は、検知した反射光に基づき読み取ったデータをドライブ制御部１５０に出力する。
ディスク判別部１５２は、システム制御部１１からディスクの種別判定の指示を受け取とると、ハイブリッドディスク３からディスクの種別情報を読み出すように光ピックアップ部１５３を制御する。ディスク種別の判別方法については後述する。
【００２２】
光ピックアップ部１５３は、信号記録部６０からの制御に基づいてレーザ光をハイブリッドディスク３の記録位置に向けて照射することによりデータを記録する。また、光ピックアップ部１５３は、信号読み取り部６１からの制御に基づいてレーザ光をハイブリッドディスク３の読み取り位置に向けて照射し、反射光を信号読み取り部６１に検知させる。同様に、光ピックアップ部１５３は、ディスク判別部１５２からの制御に基づいてレーザ光をハイブリッドディスク３の読み取り位置に向けて照射し、反射光をディスク判別部１５２に検知させる。
【００２３】
インタフェース部１５４は、ドライブ制御部１５０との間でコマンドを介して、データをやりとりするためのインタフェースであり、例えば、ＡＴＡＰＩ（AT Attachment Packet Interface）を使用することができる。ＡＴＡＰＩでは、光ディスクに割り当てられたファイル名を指定することでデータの記録及び再生が行える仕様となっている。
光ディスクドライブ装置１５にハイブリッドディスク３が装着されると、光ディスクドライブ装置１５は、ユーザの操作に従ってハイブリッドディスク３に対するデータの記録処理又は読み取り処理を実行する。
【００２４】
図３は、光ピックアップ部１５３の構成例を示すブロック図である。
光ピックアップ部１５３は、光ピックアップ４、アナログ信号処理回路５、光ピックアップ制御部６及びスピンドルモータ２を備える。
【００２５】
光ピックアップ４は、光ビームを出力する光ビーム出力部４６と、光ビームをハイブリッドディスク３に集光させるための対物レンズ４１ａと、ハイブリッドディスク３に対して接離する方向へ対物レンズ４１ａを移動させる対物レンズアクチュエータ４１ｂとを備える。なお、光ピックアップ４は、ハイブリッドディスク３の径方向に移動できるよう、図示しない案内軌条に支持されており、図示しない光ピックアップ駆動モータにて、径方向に駆動するように構成されている。
【００２６】
光ビーム出力部４６は、例えば、ＧａＮ（窒化ガリウム）のＩｎ（インジウム）混晶を用いてなるレーザダイオード（LD: Laser Diode）であり、波長４０５ｎｍのレーザ光を出力する。対物レンズ４１ａは、モールド成形された非球面単レンズであり、ＮＡ０．８５の高ＮＡを有している。対物レンズアクチュエータ４１ｂは、例えばマグネット方式の２軸アクチュエータであり、対物レンズ４１ａを支持する弾性体と、対物レンズ４１ａを駆動するための磁石及びコイルとを有しており、コイルへの通電によって、対物レンズ４１ａがハイブリッドディスク３に対して接離するフォーカシング方向、又はトラッキング方向へ移動するように構成されている。
【００２７】
また、光ピックアップ４は、対物レンズ４１ａの光軸上、光ビーム出力部４６と対物レンズ４１ａとの間に、光ビーム出力部４６側から順に配された回折格子４５、偏光ビームスプリッタ４４、球面収差補正機構４３、及び１／４波長板４２を備える。回折格子４５は、対物レンズ４１ａに入射する光ビームを最適化するための光学素子である。偏光ビームスプリッタ４４は、光ビーム出力部４６から出力された光ビームを透過すると共に、ハイブリッドディスク３から反射された光ビームを反射することによって分離する。球面収差補正機構４３は、対物レンズ４１ａの位置によって変化する球面収差、つまりハイブリッドディスク３における集光位置の深さによって変化する球面収差を補正するための補正機構であり、コリメータレンズ４３ａと、コリメータレンズ４３ａの周縁部に設けられた枠部４３ｂと、コリメータレンズ４３ａが対物レンズ４１ａの光軸方向へ移動可能になるように枠部４３ｂを支持する支持軸４３ｃと、コリメータレンズ４３ａを前記光軸方向へ移動させるコリメータレンズ駆動モータ４３ｄとを備える。１／４波長板４２は、直線偏光の光ビームを円偏光に変換し、またハイブリッドディスク３から反射された円偏光の光ビームを直線偏光に変換するための素子であり、該変換によって、偏光ビームスプリッタ４４による光ビームの分離を可能にする。
【００２８】
更に、光ピックアップ４は、偏光ビームスプリッタ４４によって分離された光ビームを受光するための受光光学系４７と、光ビーム受光部４８とを備え、ハイブリッドディスク３に対する合焦制御及びトラッキング制御に必要な信号を得ることができるように構成されている。合焦制御手法としては非点収差法、スポットサイズ検出法、フーコー法等があり、トラッキング制御手法としては、プッシュプル法、差動プッシュプル法、アドバンスドプッシュプル法、新アドバンスドプッシュプル法等がある。
【００２９】
光ビーム受光部４８は、対物レンズ４１ａ及び各層の距離に応じて電圧レベルが変化するフォーカスエラー信号（焦点誤差信号）を生成するためのＦＥＳ（Focus Error Signal）用４分割フォトダイオード（PD:Photo Diode）（図示せず）と、光ビームの集光位置と、トラックとの距離に応じて電圧レベルが変化するトラッキングエラー信号を生成するためのＴＥＳ（Tracking Error Signal）用４分割フォトダイオード（図示せず）とを備え、各フォトダイオードは適宜位置に並置されている。ＦＥＳ用４分割フォトダイオードは、非点収差が与えられた反射光を４分割された各領域で受光し、該反射光の強度に応じた信号をアナログ信号処理回路５へ出力する。同様にＴＥＳ用４分割フォトダイオードは、４分割された各領域で受光した反射光の強度に応じた信号をアナログ信号処理回路５へ出力する。
【００３０】
アナログ信号処理回路５は、ＦＥＳ用４分割フォトダイオードから出力された信号に基づいて、フォーカスエラー信号を生成し、生成されたフォーカスエラー信号を光ピックアップ制御部６へ出力するアナログ信号処理機能を有する。また、アナログ信号処理回路５は、ＦＥＳ用４分割フォトダイオードから出力された信号に基づいて、フォーカストータル信号を生成し、生成されたフォーカストータル信号を光ピックアップ制御部６へ出力する。更に、アナログ信号処理回路５は、ＴＥＳ用４分割フォトダイオードから出力された信号に基づいて、トラッキングエラー信号を生成し、生成したトラッキングエラー信号を光ピックアップ制御部６へ出力する。
【００３１】
光ピックアップ制御部６は、アナログ信号処理回路５から出力されたフォーカスエラー信号、フォーカストータル信号及びトラッキングエラー信号に基づいて、対物レンズアクチュエータ４１ｂ、光ビーム出力部４６、及びコリメータレンズ駆動モータ４３ｄの動作、並びにスピンドルモータ２の回転を制御するように構成されている。該制御方法は公知の技術であるため説明を省略する。
【００３２】
図４は、実施の形態１で用いられるハイブリッドディスク３を模式的に示す断面図である。
ハイブリッドディスク３は、読み取り専用層（以下、「ＲＯＭ層」という。）及び書き換え可能層（以下、「ＲＥ層」という。）を含む多層光ディスクである。ＲＯＭ層は、１回だけデータを書込むことができる記録層であり、ＲＥ層は複数回にわたってデータを書込むこができる記録層である。ＲＥ層は多層化することが可能であり、図５では、一例として、１層のＲＯＭ層３ｃ及び２層のＲＥ層３ａ、３ｂの計３層の記録層を含むハイブリッドディスク３を示す。ＲＥ層を２層設けることによって、１層のＲＥ層を大容量の映像コンテンツを記録する映像コンテンツ専用の書き換え可能な記録層として使用することができる。
【００３３】
ハイブリッドディスク３は、厚さ１．１ｍｍのポリカーボネート基板上に、相変化型の第１のＲＥ層３ａ、第２のＲＥ層３ｂが順に積層成膜され、更に表面側（図５中、下方側）にはＲＯＭ層３ｃが成膜され、各層は厚さ約０．１ｍｍのカバー層で覆われている。第１及び第２のＲＥ層３ａ、３ｂの反射率は、約５〜１２％であり、ＲＯＭ層３ｃの反射率は約１〜３％である。ＲＯＭ層は、ＢＤ規格の光ビームを用いた場合の反射率がＢＤ規格とは１桁以上低い点を除けば、ＲＯＭ規格フォーマットに準拠しており、ＲＯＭと同様の再生制御ができるように構成されている。このように構成されたハイブリッドディスク３は、最表面側にＲＯＭ層３ｃを有し、ＲＯＭ層３ｃよりも深層に第２のＲＥ層３ｂ、最深層に第１のＲＥ層３ａを有している。また、ＲＯＭ層３ｃの反射率は約１〜３％と極めて小さい。
【００３４】
光ディスクドライブ装置１５は、ＲＯＭ層３ｃにアクセスすることができるため、ＲＯＭ層３ｃに記録されたデータを利用することで、光ディスク装置１に新機能を組み込むことが可能になる。
【００３５】
図２に戻って説明すると、光ディスク装置１は、バックエンド部として、システム制御部１１、画像補正部としての機能を有する映像コンテンツ高画質化部１２、映像コンテンツ表示部１３及び記憶部１４を備える。
【００３６】
システム制御部１１は、揮発性メモリ（図示せず）を作業領域として用い、不揮発性メモリ（図示せず）に記録されているコンピュータプログラムと各種情報、及びユーザ操作部７を介して受け付けた操作指示にしたがって、バックエンド部の動作を直接的に制御する。また、システム制御部１１は、光ディスクドライブ装置１５の各部の動作を制御するための制御信号を、インタフェース部１５４を介して、光ディスクドライブ装置１５のドライブ制御部１５０へ出力する。ドライブ制御部１５０は、受け取った制御信号にしたがって光ディスクドライブ装置１５の各部の動作を制御する。即ち、システム制御部１１は、光ディスクドライブ装置１５の各部の動作を間接的に制御する。具体的には、以下の通りである。
【００３７】
システム制御部１１は、光ディスクドライブ装置１５を制御して、光ディスクドライブ装置１５にハイブリッドディスク３が挿入されたことを検出すると、挿入されたハイブリッドディスク３のＲＯＭ層３ｃから映像コンテンツを読み取って、記憶部１４に一時的に格納する。尚、記憶部１４は、ハイブリッドディスク３から読み取った高画質化前の映像コンテンツ及び高画質化された映像コンテンツを一時的に格納することができるメモリである。
【００３８】
次いで、システム制御部１１は、ハイブリッドディスク３のＲＯＭ層３ｃから読み取った映像コンテンツの高画質化が可能か否かを判定する。高画質化が可能か否かの判定方法については後述する。システム制御部１１は、高画質化が不可と判定した場合には、記憶部１４に格納されている映像コンテンツを映像コンテンツ表示部１３に出力し、映像コンテンツ表示部１３は、受け取った映像コンテンツをディスプレイ８０及びスピーカ８１に出力する。尚、映像コンテンツ表示部１３は、受け取った映像コンテンツのうちの画像データをディスプレイ８０で表示可能なデータ形式に変換しディスプレイ８０へ出力し、映像コンテンツのうちの音声データをスピーカ８１で出力可能なデータ形式に変換しスピーカ８１へ出力する。
【００３９】
これに対して、システム制御部１１は、ＲＯＭ層３ｃから読み取った映像コンテンツの高画質化が可能と判定した場合には、記憶部１４に格納されている映像コンテンツを映像コンテンツ高画質化部１２に出力する。映像コンテンツ高画質化部１２は、システム制御部１１の指示にしたがって、受け取った映像コンテンツに対して後述する高画質化処理を施し、高画質化された映像コンテンツを再び記憶部１４に格納した後、映像コンテンツ表示部１３に出力する。映像コンテンツ表示部１３は、システム制御部１１から受け取った高画質化された映像コンテンツをディスプレイ８０及びスピーカ８１に出力する。これと併行して、システム制御部１１は、記憶部１４から高画質化された映像コンテンツを読み出し、インタフェース部１５４を介して、光ディスクドライブ装置１５に出力し、光ディスクドライブ装置１５は、高画質化された映像コンテンツをハイブリッドディスク３のＲＥ層３ａ又は３ｂに記録する。これにより、ＲＯＭ層３ｃに高画質化前の映像コンテンツが記録され、ＲＥ層３ａ又は３ｂに高画質化された映像コンテンツが記録されたハイブリッドディスク３が得られる。
【００４０】
次に、実施の形態１に係る光ディスク装置１によるハイブリッドディスク３に対する記録処理について説明する。
ハイブリッドディスク３のＲＯＭ層３ｃには、オリジナルの映像コンテンツが記録されているとする。映像コンテンツの高画質化機能を有するハイブリッドディスク対応の光ディスク装置１にハイブリッドディスク３を装着すると、光ディスク装置１は、ハイブリッドディスク３のＲＯＭ層３ｃに記録されている映像コンテンツを認識して、その映像コンテンツの高画質化処理と再生処理を行う。その処理と併行して、光ディスク装置１は、高画質化した映像コンテンツをハイブリッドディスク３のＲＥ層３ａ又は３ｂに記録する。尚、ＲＯＭ層３ｃに記録されている映像コンテンツの高画質化処理及びＲＥ層３ａ又は３ｂへの記録処理は、再生処理とは別個に行ってもよい。すなわち、映像表示装置８により映像鑑賞を行っていない時に光ディスク装置１に高画質化処理及び記録処理を行わせてもよい。
【００４１】
（記録処理）
図５は、実施の形態１に係る光ディスク装置１によるハイブリッドディスク３に対する記録処理の流れを示すフローチャートである。
システム制御部１１は、光ディスクが光ディスクドライブ装置１５に装着されたか否かを検出する（Ｓ６０）。システム制御部１１は、光ディスクが光ディスクドライブ装置１５に装着されている場合（Ｓ６０：ＹＥＳ）、ステップＳ６１の処理に進み、装着されていない場合（Ｓ６０：ＮＯ）、装着されるまで待機する。
【００４２】
システム制御部１１は、ディスク判別部１５２を用いて、装着された光ディスクの種別、すなわち、装着された光ディスクがハイブリッドディスク３であるか否かを判定する（Ｓ６１）。具体的には、システム制御部１１は、光ディスク製造の最終工程で光ディスクの最内周部に設けられたＢＣＡ（Burst Cutting Area：バーストカッティング領域）に含まれるブックタイプフィールドを参照することによって、装着されている光ディスクがハイブリッドディスク３であるか否かを判定する。ブックタイプフィールドには、光ディスクの種類を示すブックタイプ（メディア識別コードともいう）が記録されているため、システム制御部１１は、このブックタイプフィールドに記録されている情報を参照することによって、装着された光ディスクの種類を判別できる。
【００４３】
システム制御部１１は、装着された光ディスクがハイブリッドディスク３である場合（Ｓ６１：ＹＥＳ）、ＲＯＭ層３ｃに記録されている映像コンテンツを読み取り（Ｓ６２）、記憶部１４に一旦格納する。これに対して、システム制御部１１は、装着された光ディスクがハイブリッドディスク３でない場合（Ｓ６１：ＮＯ）、その光ディスク固有の処理を実行する（Ｓ６７）。
【００４４】
システム制御部１１は、ステップＳ６２にてＲＯＭ層３ｃから読み取った映像コンテンツの高画質化が可能であるか否かを判定する（Ｓ６３）。映像コンテンツの高画質化が可能であるか否かの判定は、ＲＯＭ層３ｃに記録されている映像コンテンツの画像圧縮方式を参照して行う。例えば、映像コンテンツの場合、映像コンテンツに付随している管理情報を参照すれば画像圧縮方式又はビットレートがわかり、それにより、映像コンテンツが高画質か否か、すなわち、映像コンテンツの高画質化が可能か否かを判定できる。例えば、映像コンテンツに付随している管理情報が示す画像圧縮方式がＭＰＥＧ−２以下の画像圧縮方式ならば高画質化すると判定し、ＭＰＥＧ−４の画像圧縮方式ならば高画質化しないと判定する。高画質化処理の種類としては、例えば、「デジタルノイズリダクション」、「ゴーストリデューサ」、「３次元Ｙ／Ｃ分離」等がある。「デジタルノイズリダクション」とはデジタル映像特有の輪郭のザラツキをカットする処理であり、「ゴーストリデューサ」とは電波障害による多重映りを低減させる処理であり、「３次元Ｙ／Ｃ分離」とは細い縞模様とか細い格子模様を表示した時に発生するカラーノイズを抑える処理である。また、高画質化処理の種類としては、超解像技術に関わる処理もある。超解像技術とは、テレビなどに関わるデジタルでの画像処理技術の１つで、入力信号の解像度を高めて出力信号を作る技術のことである。通常は、入力信号の解像度が表示画面の解像度に満たない場合に、それを補うための解像度の補正技術を指す。例えば、標準解像度のビデオソフトをフルＨＤの大画面テレビに映す場合、超解像技術を備えた映像機器は足りない画素を補完することにより表示画面の解像度を高める。これにより、ユーザは、よりリアルな映像を大画面テレビで楽しむことができる。
尚、高画質化処理の内容は上記の処理に限るものではなく、他の処理であってもよい。
【００４５】
システム制御部１１は、映像コンテンツの高画質化が可能であると判定した場合（Ｓ６３：ＹＥＳ）、記憶部１４から映像コンテンツを読み出し、映像コンテンツ高画質化部１２を用いてその映像コンテンツに対して高画質化処理を施し（Ｓ６４）、高画質化された映像コンテンツを暗号化し（Ｓ６５）、暗号化された映像コンテンツをＲＥ層３ａ又は３ｂに記録する（Ｓ６６）。これに対して、システム制御部１１は、映像コンテンツの高画質化が不可と判定した場合（Ｓ６３：ＮＯ）、記録処理を終了する。
尚、ステップＳ６５及びＳ６６にて、システム制御部１１は、ＲＯＭ層３ｃの情報のみから取得可能な暗号化キーで映像コンテンツを暗号化し、暗号化された映像コンテンツをＲＥ層３ａ又は３ｂに記録する。ここで、暗号化キーは、ＲＯＭ層３ｃに記録されている映像コンテンツからしか取得することができず、かつＲＯＭ層３ｃに記録された映像コンテンツを再生できるように正規にライセンスされた光ディスク装置１だけが取得することができる方式でＲＯＭ層３ｃに記録されている。そして、ＲＥ層３ａ又は３ｂに記録された高画質の映像コンテンツを復号するためには、必ず、上記暗号化キーをＲＯＭ層３ｃから取得する必要がある。したがって、例えば、ＲＥ層３ａ又は３ｂに、ＲＯＭ層３ｃの映像コンテンツとは無関係な映像コンテンツを複製した場合、ＲＥ層３ａ又は３ｂの映像コンテンツを再生できない仕組みがとられている。
【００４６】
図６は、高画質化機能を有しない光ディスク装置の構成例を示すブロック図である。
図６に示す光ディスク装置９は、高画質化機能を備えていない点で図２に示す光ディスク装置１と異なるが、他の構成は略同一であるため、説明は省略する。映像コンテンツ高画質化部１２を備えていない光ディスク装置９においては、映像コンテンツの再生は以下のように行われる。
【００４７】
システム制御部１１は、ＲＥ層３ａ又は３ｂに高画質化処理された映像コンテンツが記録されているか否かを判定する。すなわち、システム制御部１１は、ハイブリッドディスク３のＲＥ層３ａ又は３ｂに記録されている画質モード情報を参照して、映像コンテンツが高画質である否かを判定する。画質モード情報は、映像コンテンツが高画質化処理されてＲＥ層３ａ又は３ｂに記録されるときに映像コンテンツに付随して記録される。つまり、高画質化された映像コンテンツに付随して記録される画質モード情報は、当該映像コンテンツが高画質であることを示す。ＲＥ層３ａ又は３ｂに記録されている映像コンテンツが高画質であると判定した場合には、システム制御部１１は、ＲＥ層３ａ又は３ｂから高画質の映像コンテンツを取得し、映像コンテンツ表示部１３に出力する。これに対して、ＲＥ層３ａ又は３ｂに記録されている映像コンテンツが高画質でない場合、システム制御部１１は、ＲＯＭ層３ｃからオリジナルの映像コンテンツを取得し、映像コンテンツ表示部１３に出力する。
【００４８】
（再生処理）
光ディスク装置９によるハイブリッドディスク３に対する再生処理を図面により説明する。
図７は、光ディスク装置９による再生処理の流れを示すフローチャートである。
【００４９】
システム制御部１１は、光ディスクが光ディスクドライブ装置１５に装着されたか否かを検出する（Ｓ７０）。システム制御部１１は、光ディスクが光ディスクドライブ装置１５に装着されている場合（Ｓ７０：ＹＥＳ）、ステップＳ７１の処理に進み、装着されていない場合（Ｓ７０：ＮＯ）、装着されるまで待機する。
システム制御部１１は、装着された光ディスクがハイブリッドディスク３であるか否かを判定する（Ｓ７１）。判定の方法は、図５で示したステップＳ６１での判定方法と同じであるため説明は省略する。
【００５０】
システム制御部１１は、装着された光ディスクがハイブリッドディスク３である場合（Ｓ７１：ＹＥＳ）、システム制御部１１は、ＲＥ層３ａ又は３ｂに記録されている映像コンテンツの画質モード情報を参照し（Ｓ７２）、ＲＥ層３ａ又は３ｂに高画質の映像コンテンツが記録されているか否かを判定する（Ｓ７３）。一方、システム制御部１１は、光ディスクがハイブリッドディスク３でない場合（Ｓ７１：ＮＯ）、その光ディスク固有の処理を実行する（Ｓ７８）。
【００５１】
システム制御部１１は、画質モード情報を参照し、ＲＥ層３ａ又は３ｂに高画質の映像コンテンツが記録されていると判定した場合（Ｓ７３：ＹＥＳ）、ＲＥ層３ａ又は３ｂに記録されている高画質の映像コンテンツを読み取り（Ｓ７４）、読み取った高画質の映像コンテンツを再生し（Ｓ７５）、再生処理を終了する。これに対して、システム制御部１１は、ＲＥ層３ａ又は３ｂに高画質の映像コンテンツが記録されていないと判定した場合（Ｓ７３：ＮＯ）、ＲＯＭ層３ｃに記録されているオリジナルの映像コンテンツを読み取り（Ｓ７６）、読み取ったオリジナルの映像コンテンツを再生し（Ｓ７７）、再生処理を終了する。
【００５２】
尚、上記の例では、光ディスク装置９は、ＲＥ層３ａ又は３ｂに高画質の映像コンテンツが記録されていると判定した場合には、その高画質の映像コンテンツを常に再生する方式をとっているが、オリジナルの映像コンテンツと高画質の映像コンテンツのどちらを再生するかをユーザが選択できる仕組みにしてもよい。例えば、再生に関して通常モードとユーザ選択モードを設け、ユーザ操作部７を介して通常モードがユーザにより選択された場合、光ディスク装置９はＲＥ層３ａ又は３ｂに記録されている高画質の映像コンテンツを再生する。ユーザ操作部７を介してユーザ選択モードがユーザにより選択された場合、光ディスク装置９は、ユーザが選択した方の映像コンテンツを再生する。ユーザによっては画質が多少劣っていてもオリジナルの映像コンテンツを視聴するのを望む場合もあるからである。
【００５３】
通常モードとユーザ選択モードの選択は、映像表示装置８に表示する選択画面を介してユーザが行うことができる。図８は、選択画面の例を示す説明図である。図８Ａは、モード選択画面の例を示す説明図であり、図８Ｂは、モード選択画面でユーザ選択モードが選択された場合に表示される選択画面の例を示す説明図である。いずれの画面も画像表示装置８のディスプレイ８０に表示される。図８Ａに示すモード選択画面において、ユーザ操作部７を介して通常モード８ａがユーザにより選択された場合、光ディスク装置９は高画質の映像コンテンツを再生する一方、ユーザ操作部７を介してユーザ選択モード８ｂがユーザにより選択されると、光ディスク装置９は図８Ｂに示す選択画面に切り替える。ここで、ユーザ操作部７を介してオリジナル映像コンテンツ８ｃがユーザにより選択された場合、光ディスク装置９はオリジナルの映像コンテンツを再生し、ユーザ操作部７を介して高画質映像コンテンツ８ｄがユーザにより選択された場合、光ディスク装置９は高画質の映像コンテンツを再生する。
【００５４】
以上説明したように、ハイブリッドディスク３のＲＯＭ層３ｃに記録された映像コンテンツを高画質化する機能を備える光ディスク装置１を用いて、ＲＯＭ層３ｃに記録された映像コンテンツの高画質化を行い、高画質化された映像コンテンツを同一のハイブリッドディスク３のＲＥ層３ａ又は３ｂに記録する。ＲＥ層３ａ又は３ｂには高画質化された映像コンテンツが記録されているため、別途、映像コンテンツの高画質化機能を有していない光ディスク装置を用いて当該ハイブリッドディスク３の再生を行った場合でも、ＲＥ層３ａ又は３ｂに記録されている高画質な映像コンテンツが再生されるため、ユーザは高画質な映像コンテンツを視聴することができる。また、ＲＥ層は多層化でき、さらに連続的な記録層として扱うことができるため、ＲＥ層の記憶容量を十分に確保することができ、そのため、高画質化によって映像コンテンツのデータ量が増えてもＲＥ層の記憶容量が足りなくなる虞は低い。
【００５５】
実施の形態２
図９は、実施の形態２に係る光ディスク装置１によるハイブリッドディスク３に対する記録処理及び再生処理の流れを示すフローチャートである。
本実施形態は、高画質化機能を有するＡ機種（図２参照）で高画質化された映像コンテンツをＲＥ層３ａに記録しているハイブリッドディスク３を、Ａ機種とは異なる機種であって高画質化機能を有するＢ機種（図２参照）で再生する場合を示したものである。Ａ機種とＢ機種は共に光ディスク装置であるが、高画質化機能の性能が異なるとする。
【００５６】
Ｂ機種の映像コンテンツ高画質化部１２によるオリジナルの映像コンテンツの高画質化処理により得られる画質を第１の画質とし、Ａ機種がＲＥ層３ａに記録した高画質の映像コンテンツの画質を第２の画質とする。例えば、Ｂ機種は、第１の画質と第２の画質とを比較し、画質が良い方の映像コンテンツを再生するとする。第１の画質は、Ｂ機種の映像コンテンツ高画質化部１２の高画質化機能の性能を示す画質モード情報から得られ、第２の画質は、高画質の映像コンテンツに付随して記録されている画質モード情報から得られる。本実施形態では、第１の画質と第２の画質とを比較した結果、第１の画質が第２の画質よりも良い場合、すなわち、Ｂ機種の高画質化機能の性能がＡ機種のものより高い場合、Ｂ機種のシステム制御部１１は、ＲＥ層３ａから映像コンテンツを読み取るのでなく、ＲＯＭ層３ｃからオリジナルの映像コンテンツを読み出して、それに対して高画質化処理を施して再生し、更に、高画質化された映像コンテンツを暗号化してＲＥ層３ｂに記録する。これにより、ＲＯＭ層３ｃには低画質のオリジナルコンテンツが記録され、ＲＥ層３ａには高画質の映像コンテンツが記録され、ＲＥ層３ｂには、ＲＥ層３ａに記録されている映像コンテンツよりも高画質の映像コンテンツが記録されたハイブリッドディスク３が得られる。すなわち、３段階の画質レベルを有する映像コンテンツが記録された１枚のハイブリッドディスク３が得られる。
【００５７】
一方、第２の画質が第１の画質よりも良い場合、Ｂ機種のシステム制御部１１は、実施の形態１と同様に、ＲＥ層３ａから高画質の映像コンテンツを読み取り、それを再生する。
以下に上記処理の流れを図９により説明する。
【００５８】
システム制御部１１は、光ディスクが光ディスクドライブ装置１５に装着されたか否かを検出する（Ｓ８０）。システム制御部１１は、光ディスクが光ディスクドライブ装置１５に装着されている場合（Ｓ８０：ＹＥＳ）、ステップＳ８１の処理に進み、装着されていない場合（Ｓ８０：ＮＯ）、装着されるまで待機する。
【００５９】
システム制御部１１は、ディスク判別部１５２を用いて、装着された光ディスクの種別、すなわち、装着された光ディスクがハイブリッドディスク３であるか否かを判定する（Ｓ８１）。判定の方法は、図５で示したステップＳ６１での判定方法と同じであるため説明は省略する。
【００６０】
システム制御部１１は、装着された光ディスクがハイブリッドディスク３である場合（Ｓ８１：ＹＥＳ）、ＲＯＭ層３ｃに記録されているオリジナルの映像コンテンツを映像コンテンツ高画質化部１２によって高画質化処理した場合の画質（第１の画質）と、ＲＥ層３ａに記録されている高画質の映像コンテンツの画質（第２の画質）とを比較し（Ｓ８２）、第１の画質が第２の画質よりも良いか否かを判定する（Ｓ８３）。比較した結果、第１の画質が第２の画質よりも良いと判定した場合（Ｓ８３：ＹＥＳ）、ＲＯＭ層３ｃに記録されている映像コンテンツを読み取り（Ｓ８４）、記憶部１４に一旦格納する。
【００６１】
システム制御部１１は、ＲＯＭ層３ｃから読み取られ記憶部１４に格納されている映像コンテンツに対して高画質化処理を施し（Ｓ８５）、更に、高画質化された映像コンテンツを再生する（Ｓ８６）。高画質化処理の内容は実施の形態１と同様である。
システム制御部１１は、高画質化された映像コンテンツを暗号化し（Ｓ８７）、暗号化された映像コンテンツをＲＥ層３ｂに記録し（Ｓ８８）、処理を終了する。
これに対して、システム制御部１１は、ステップＳ８３にて第１の画質が第２の画質よりも悪いと判定した場合（Ｓ８３：ＮＯ）、ＲＥ層３ａに記録されている映像コンテンツを読み取り（Ｓ８９）、読み取った映像コンテンツを再生し（Ｓ９０）、処理を終了する。また、ステップＳ８１にて、装着された光ディスクがハイブリッドディスク３でないと判定した場合（Ｓ８１：ＮＯ）、その光ディスク固有の処理を実行する（Ｓ９１）。
【００６２】
上記の例では、Ｂ機種の光ディスクは、第１の画質と第２の画質とを比較し、画質が良い方の映像コンテンツを再生する方式（以下、「自動選択モード」という。）をとるが、ＲＥ層３ａに記録した高画質の映像コンテンツを強制的に再生する方式（以下、「強制再生モード」という。）又はユーザにより選択された映像コンテンツを再生する方式（以下、「ユーザ選択モード」という。）をとってもよい。すなわち、自動選択モード、強制再生モード又はユーザ選択モードのいずれかのモードをユーザが選択できる仕組みにしてもよい。
【００６３】
上記の各モードの選択は、映像表示装置８のディスプレイ８０に表示する選択画面を介してユーザが行うことができる。図１０は、選択画面の例を示す説明図である。図１０Ａは、モード選択画面の例を示す説明図であり、図１０Ｂは、モード選択画面でユーザ選択モードが選択された場合に表示される選択画面の例を示す説明図である。
【００６４】
図１０Ａに示すモード選択画面において自動選択モード８ｅが選択された場合は画質が良い方の映像コンテンツが再生され、強制再生モード８ｆが選択された場合はＲＥ層３ａに記録されている映像コンテンツが再生され、ユーザ選択モード８ｇが選択された場合はユーザが選択した映像コンテンツが再生される。
図１０Ｂに示す選択画面には「高画質映像コンテンツ（レベル１）」８ｈと「高画質映像コンテンツ（レベル２）」８ｉの表示があるが、「レベル」とは画質の良さの指標であり、「レベル１」の高画質映像コンテンツは「レベル２」の高画質映像コンテンツよりも画質が良いことを意味する。したがって、ユーザは、視聴する映像コンテンツの高画質の程度を選択することができる。
【００６５】
尚、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６６】
１  光ディスク装置
３  ハイブリッドディスク
７  ユーザ操作部
８  映像表示装置
１１  システム制御部
１２  映像コンテンツ高画質化部
１３  映像コンテンツ表示部
１４  記憶部
１５  光ディスクドライブ装置
【図１】
2011181136.tif 000003
【図２】
2011181136.tif 000004
【図３】
2011181136.tif 000005
【図４】
2011181136.tif 000006
【図５】
2011181136.tif 000007
【図６】
2011181136.tif 000008
【図７】
2011181136.tif 000009
【図８】
2011181136.tif 000010
【図９】
2011181136.tif 000011
【図１０】
2011181136.tif 000012